(57)【要約】【課題】交換レンズがマウント可能なカメラシステムにおいて、電源ＯＦＦの間、交換レンズを介して入射される光の露光に起因する撮像素子のフィルタの劣化を軽減可能なカメラシステムを提供する。【解決手段】カメラシステム（１００）は、カメラ本体（２００）及び交換レンズ（３００）の動作を制御するコントローラ（２１０、３１０）を備える。コントローラ（２１０、３１０）は、カメラ本体（２００）の電源をオフしようと制御する際に、交換レンズ（３００）またはカメラ本体（２００）内に設けられた絞り（３２０）の開口を、絞り（３２０）を透過する光量が所定値以下となるように調整し、その後、電源からの電力供給を停止するよう制御する。【選択図】図１
2009260959.tif 000002
【特許請求の範囲】
【請求項１】
カメラ本体と交換レンズとから構成されるカメラシステムであって、
被写体からの光を集光して被写体像を形成する光学系と、
前記光学系により集光される被写体像の光量を調整する絞りと、
前記絞りを駆動する絞り駆動手段と、
前記光学系により形成された被写体像を撮像して画像データを生成する撮像素子と、
前記カメラ本体と前記交換レンズに電力を供給する電源と、
前記電源を制御する制御手段とを備え、
前記制御手段は、前記電源からの電力供給を停止しようとする際に、前記絞り駆動手段を制御して、前記絞りを通過する光量が所定値以下になるように前記絞りの開口を調整し、その後、前記電源からの電力供給を停止するよう前記電源を制御する、
カメラシステム。
【請求項２】
前記所定値は、前記絞りにより調整可能な光量の最小値である、請求項１記載のカメラシステム
【請求項３】
前記光学系と前記撮像素子を結ぶ光路中に可動式ミラーを備えていない、請求項１または２に記載のカメラシステム。
【請求項４】
カメラ本体と交換レンズとから構成されるカメラシステムであって、
前記交換レンズは、被写体からの光を集光して被写体像を形成する光学系を備え、
前記カメラ本体は、
前記カメラ本体に電力を供給する電源と、
前記交換レンズにより形成された被写体像を撮像して画像データを生成する撮像素子と、
前記交換レンズを介して入射される光を遮断又は軽減可能なバリア機構と、
前記バリア機構を駆動するバリア駆動手段と、
前記カメラ本体の動作を制御する制御手段とを備え、
前記制御手段は、前記電源からの電力供給を停止しようとする際に、前記バリア駆動手段を制御して、前記交換レンズを介して入射される光を遮断又は軽減するように前記バリア機構を駆動し、その後、前記電源からの電力供給を停止させるよう、前記電源を制御する、
カメラシステム。
【請求項５】
被写体像の光量を調整する絞りを備えた交換レンズをマウント可能なカメラ本体であって、
前記光学系により形成された被写体像を撮像して画像データを生成する撮像素子と、
前記カメラ本体に電力を供給する電源と、
前記電源を制御する制御手段とを備え、
前記制御手段は、前記電源からの電力供給を停止しようとする際に、前記交換レンズの絞りを通過する光量が所定値以下になるように前記絞りの開口を調整するための制御信号を前記交換レンズに送信し、前記交換レンズから前記絞りの調整が完了したことを示す信号を受けた後に、前記電源からの電力供給を停止するよう前記電源を制御する、
カメラ本体。
【請求項６】
交換レンズをマウント可能なカメラ本体であって、
前記交換レンズにより集光される被写体像の光量を調整する絞りと、
前記絞りを駆動する絞り駆動手段と、
前記光学系により形成された被写体像を撮像して画像データを生成する撮像素子と、
前記カメラ本体に電力を供給する電源と、
前記電源を制御する制御手段とを備え、
前記制御手段は、前記電源からの電力供給を停止しようとする際に、前記絞り駆動手段を制御して前記絞りを通過する光量が所定値以下になるように前記絞りの開口を調整し、その後、前記電源からの電力供給を停止するよう前記電源を制御する、
カメラ本体。
【請求項７】
交換レンズをマウント可能なカメラ本体であって、
前記カメラ本体に電力を供給する電源と、
前記交換レンズにより形成された被写体像を撮像して画像データを生成する撮像素子と、
前記交換レンズを介して入射される光を遮断又は軽減可能なバリア機構と、
前記バリア機構を駆動するバリア駆動手段と、
前記カメラ本体の動作を制御する制御手段とを備え、
前記制御手段は、前記電源からの電力供給を停止しようとする際に、前記バリア機構を制御して、前記交換レンズを介して入射される光を遮断又は軽減するように前記バリア機構を駆動し、その後、前記電源からの電力供給を停止させるよう前記電源を制御する、
カメラ本体。
【発明の詳細な説明】
【技術分野】
【０００１】
本発明は、レンズ交換式のカメラシステムに関し、特に、カメラシステムの電源オフ時の制御に関する。
【背景技術】
【０００２】
交換レンズをマウント可能な一眼レフカメラはカメラ本体内部に可動ミラーを備えている。通常は、この可動ミラーは観察位置にあり、交換レンズを介して入射した光は可動ミラーで反射され、さらにカメラ本体上部に設けられたプリズムを介してファインダに導かれる。操作者はファインダから撮影対象を確認することができる。また、画像撮影時において、可動ミラーは瞬間的に跳ね上がり撮影位置に移動する。これにより、交換レンズを介して入射した光は、カメラ本体に装填された写真フィルムに導かれ、写真フィルムを露光することで画像の記録を行えるようになっている。
【０００３】
上記のような一眼レフカメラでは、可動ミラーを跳ね上げたまま電源スイッチをオフにすると、ミラーは撮影位置に停止したままとなる。この状態で、不用意に交換レンズをカメラ本体から取り外すという誤操作がなされた場合、カメラ内部の写真フイルムが露出しているため、露光されてしまうという問題がある。
【０００４】
特許文献１は、写真フィルムを露光して画像を記録するフィルム式の一眼レフカメラにおいて、上記の問題を解決したものである。特許文献１が開示する一眼レフカメラは、カメラ本体を制御する本体制御部を備える。本体制御部は、モード切換ダイヤルの操作もしくはオートオフ制御によってカメラ本体の電源がオフにされる場合、フイルムホルダがカメラ本体に装着されているか否かを検出し、ミラーの位置を制御する。
【０００５】
具体的には、本体制御部は、フイルムホルダが装着されている場合は、ミラー検出センサの検出結果を参照してミラー位置を確認する。そして、ミラーがファインダ観察位置にない場合、本体制御部はミラーを降下させて観察位置に移動させる。これにより遮光板でカメラ本体の開口を光密に塞ぎ、その後、カメラ本体の電源をオフにする。また、フイルムホルダが装着されてない場合は、写真フィルムの露光の心配がないことから、本体制御部はミラーを移動することなく、カメラ本体の電源をオフにする。
【０００６】
【特許文献１】特開２０００−１２２１７２号公報
【発明の開示】
【発明が解決しようとする課題】
【０００７】
可動ミラーを備え、ＣＭＯＳイメージセンサのような撮像素子を用いて画像を電子的に記録するデジタル式一眼レフカメラにおいても、上記と同様の問題が考えられる。すなわち、可動ミラーを跳ね上げた状態のカメラ本体の電源オフ中に、外部から入射した光が撮像素子を長時間露光した場合、撮像素子すなわち撮像素子のカラーフィルタが劣化するという問題がある。
【０００８】
特許文献１に記載の一眼レフカメラでは、光学系と撮像面との間に可動式ミラーを備えており、電源オフ時に可動ミラーを光路内に進入させることにより、写真フイルムの露光を防止している。よって、デジタル式一眼レフカメラに対しても、可動ミラーを備えていれば、特許文献１に記載の技術を適用することはできる。しかし、可動ミラーを備えていないデジタル式一眼カメラに対しては、撮像素子の長時間露光に基づく撮像素子のカラーフィルタの劣化の防止のために、特許文献１に記載の方法を適用することはできない。
【０００９】
本発明は、光学系と撮像素子との間に可動式ミラーを備えることなく、動画像を表示手段に表示させることにより静止画撮像の際の構図決めを可能にするカメラシステムにおいて、電源ＯＦＦの間、交換レンズを介して入射される被写体からの光に起因する撮像素子すなわち撮像素子のカラーフィルタの劣化を軽減できるカメラシステムを提供する。
【課題を解決するための手段】
【００１０】
本発明の第１の態様において、カメラ本体と交換レンズとから構成されるカメラシステムが提供される。カメラシステムは、被写体からの光を集光して被写体像を形成する光学系と、光学系により集光される被写体像の光量を調整する絞りと、絞りを駆動する絞り駆動手段と、光学系により形成された被写体像を撮像して画像データを生成する撮像素子と、カメラ本体と交換レンズに電力を供給する電源と、電源を制御する制御手段とを備える。制御手段は、電源からの電力供給を停止しようとする際に、絞り駆動手段を制御して、絞りを通過する光量が所定値以下になるように絞りの開口を調整し、その後、電源からの電力供給を停止するよう電源を制御する。
【００１１】
本発明の第２の態様において、カメラ本体と交換レンズとから構成されるカメラシステムが提供される。交換レンズは、被写体からの光を集光して被写体像を形成する光学系を備える。カメラ本体は、カメラ本体に電力を供給する電源と、交換レンズにより形成された被写体像を撮像して画像データを生成する撮像素子と、交換レンズを介して入射される光を遮断又は軽減可能なバリア機構と、バリア機構を駆動するバリア駆動手段と、カメラ本体の動作を制御する制御手段とを備える。制御手段は、電源からの電力供給を停止しようとする際に、バリア駆動手段を制御して、バリア機構を駆動して交換レンズを介して入射される光を遮断又は軽減し、その後、電源からの電力供給を停止させるように、電源を制御する。
【００１２】
本発明の第３の態様において、被写体像の光量を調整する絞りを備えた交換レンズをマウント可能なカメラ本体が提供される。カメラ本体は、光学系により形成された被写体像を撮像して画像データを生成する撮像素子と、カメラ本体に電力を供給する電源と、電源を制御する制御手段とを備える。制御手段は、電源からの電力供給を停止しようとする際に、交換レンズの絞りを通過する光量が所定値以下になるように絞りの開口を調整するための制御信号を交換レンズに送信し、交換レンズから絞りの調整が完了したことを示す信号を受けた後に、電源からの電力供給を停止するよう電源を制御する。
【００１３】
本発明の第４の態様において、交換レンズをマウント可能なカメラ本体が提供される。カメラ本体は、交換レンズにより集光される被写体像の光量を調整する絞りと、絞りを駆動する絞り駆動手段と、光学系により形成された被写体像を撮像して画像データを生成する撮像素子と、カメラ本体に電力を供給する電源と、電源を制御する制御手段とを備える。制御手段は、電源からの電力供給を停止しようとする際に、絞り駆動手段を制御して、絞りを通過する光量が所定値以下になるように絞りの開口を調整し、その後、電源からの電力供給を停止するよう前記電源を制御する。
【００１４】
本発明の第５の態様において、交換レンズをマウント可能なカメラ本体が提供される。カメラ本体は、カメラ本体に電力を供給する電源と、交換レンズにより形成された被写体像を撮像して画像データを生成する撮像素子と、交換レンズを介して入射される光を遮断又は軽減可能なバリア機構と、バリア機構を駆動するバリア駆動手段と、カメラ本体の動作を制御する制御手段とを備える。制御手段は、電源からの電力供給を停止しようとする際に、バリア駆動手段を制御して、バリア機構を駆動して交換レンズを介して入射される光を遮断又は軽減し、その後、電源からの電力供給を停止させるように、電源を制御する。
【発明の効果】
【００１５】
本発明は、光学系と撮像素子との間に可動式ミラーを備えることなく、動画像を表示手段に表示させることにより静止画撮像の際の構図決めを可能にするカメラシステムにおいて、電源ＯＦＦの間、交換レンズを介して入射される被写体からの光に起因する撮像素子の劣化を軽減できる。これにより、撮像素子すなわち撮像素子のカラーフィルタの劣化を軽減できる。
【発明を実施するための最良の形態】
【００１６】
以下、添付の図面を参照し、本発明の実施形態を説明する。
【００１７】
（実施の形態１）
１．  構成
１−１．  カメラシステムの構成
図１は、本発明の実施の形態１におけるカメラシステムの構成を示すブロック図である。カメラシステム１００は、カメラ本体２００と、カメラ本体２００に取り付け可能な交換レンズ３００とにより構成される。
【００１８】
１−２．  カメラ本体の構成
カメラ本体２００は、ＣＭＯＳイメージセンサ２２０、液晶モニタ２３０、電源コントローラ２４１、シャッタ駆動部２５１、電子ビューファインダ２７０及びこれらを制御するカメラコントローラ２１０を備える。なお、カメラ本体２００は、図１に図示されている構成要素の他に、メモリカードスロット、ストロボ、ＤＲＡＭなどを備えるようにしてもよい。
【００１９】
ＣＭＯＳイメージセンサ２２０は、交換レンズ３００で形成された被写体像を撮像して画像データを生成する。ＣＭＯＳイメージセンサ２２０で生成された画像データは、カメラコントローラ２１０でＹＣ変換処理、電子ズーム処理、圧縮処理等の処理が施される。なお、本実施形態では、撮像素子の一例としてＣＭＯＳイメージセンサ２２０を例示したが、撮像素子はこれに限定されず、例えば、ＣＣＤイメージセンサでもよい。
【００２０】
液晶モニタ２３０は、カメラコントローラ２１０から送られてくる画像データに基づいて画像を表示する。液晶モニタ２３０は動画像及び静止画像を表示可能である。液晶モニタ２３０は、記録中の動画像を表示することもできる一方、記録動作を行っていないときに操作者の視認のためにのみ動画像を表示することもできる。このような記録動作を行っていないときの動画像の表示は、特に、操作者による静止画像撮像時の構図の決定に用いられる。本明細書では、記録動作を行っていないときに動画像をリアルタイム表示可能な動作モードを「ライブビューモード」という。なお、本実施形態では、表示手段の一例として液晶モニタ２３０を示したが、表示手段はこれには限定されず、例えば、有機ＥＬディスプレイでもよい。
【００２１】
電源２４０は、カメラ本体２００及び交換レンズ３００に電力を供給するための電源である。電源２４０は、充電式電池や乾電池等の電池で実現できる。または、電源２４０は、電源コードを介して外部から電源を供給してもよい。電源コントローラ２４１は、電源２４０による電力供給を制御する。電源コントローラ２４１は、操作者による電源スイッチ２４２の操作に基づき電源２４０を制御し、電力供給を開始したり終了したりする。また、所定時間、カメラ本体２００及び交換レンズ３００に対して何らの操作がなされない場合、電源コントローラ２４１は、スリープモードを起動させて、カメラ本体２００及び交換レンズ３００の一部に対する電力供給を停止させる。なお、電源コントローラ２４１は、マイクロコンピュータやハードワイヤードな回路装置等により実現可能である。また、本実施形態では、電源コントローラ２４１を、カメラコントローラ２１０と別に設けたが、カメラコントローラ２１０に電源コントローラ２４１の電源制御機能を持たせてもよい。
【００２２】
シャッタ２５０は機械式シャッタであり、交換レンズ３００からＣＭＯＳイメージセンサ２２０に至る光路を開閉することにより、ＣＭＯＳイメージセンサ２２０における露光量を調整する。シャッタ２５０が開状態のとき、ＣＭＯＳイメージセンサ２２０は撮像可能である。シャッタ駆動部２５１は、カメラコントローラ２１０の制御に応じて、シャッタ２５０を開閉する。シャッタ２５０は、通常、フォーカルプレーンシャッタなどで実現できる。
【００２３】
ところで、本実施の形態のカメラ本体２００は、交換レンズ３００からＣＭＯＳイメージセンサ２２０までの光路において、従来のカメラ本体のような可動式のミラーを備えていない。これにより、カメラ本体２００の小型化を実現している。しかしながら、カメラ本体２００は、可動式のミラーを備えていないため、従来のような光学的手段を用いて操作者に被写体像を視認させることができない。そこで、本実施形態のカメラ本体２００は、通常状態で、シャッタ２５０を開状態にし、液晶モニタ２３０又は電子ビューファインダ２７０に動画像を表示させる。これにより、操作者による被写体像の視認を可能にしている。この点が、従来の可動式ミラーを備えたレンズ交換式カメラと大きく異なるところである。
【００２４】
電子ビューファインダ２７０はＬＣＤや有機ＥＬディスプレイ等の表示デバイスで実現できる。電子ビューファインダ２７０は覗き込み式の表示手段である。すなわち、表示デバイスはカメラ本体２００の内部に配置されており、操作者はカメラ本体２００に設けられた窓からのぞき込むことで表示デバイスに表示された画像を視認できるようになっている。電子ビューファインダ２７０は、カメラコントローラ２１０から送られてくる画像データに基づいて、動画像や静止画像を表示できる。操作者は、電子ビューファインダ２７０に表示された画像に基づき画像撮像時の構図を決定できる。
【００２５】
カメラコントローラ２１０は、カメラ本体２００全体を制御するとともに、交換レンズ３００と通信する。カメラコントローラ２１０は、マイクロコンピュータやハードワイヤードな回路装置などにより実現できる。また、本実施の形態では、１つのコントローラで、カメラ本体２００全体の制御および交換レンズ３００との通信を実現するとしたが、複数のコントローラでこれらの機能を実現するようにしてもよい。
【００２６】
本体側接続部２６０は、レンズ側接続部３６０と電気的に接続される。本体側接続部２６０は、カメラコントローラ２１０から発信される制御信号を交換レンズ３００に送信する。本体側接続部２６０は、交換レンズ３００から受信した応答信号をカメラコントローラ２１０に伝達する。また、本体側接続部２６０は、電源２４０から供給される電力を交換レンズ３００に出力する。本体側接続部２６０及びレンズ側接続部３６０は、通常「マウント」と呼ばれる。
【００２７】
１−３．  交換レンズの構成
交換レンズ３００は、光学系３３０と、絞り駆動モータ３２１と、それらを制御するレンズコントローラ３１０とを備える。また、交換レンズ３００は、レンズ側接続部３６０を備え、カメラ本体２００との間で通信可能である。
【００２８】
光学系３３０は、被写体からの光を集光して、被写体像を形成する。図１においては、図面作成の便宜上、１枚のレンズのみを記載しているが、光学系３３０は実際には複数枚のレンズ又はレンズ群で構成する場合が多い。光学系３３０のレンズ群の群構成は何群であっても構わない。
【００２９】
絞り３２０は、開口部を有し、その開口部の大きさを調整することにより、交換レンズ３００が形成する被写体像の光量を調節する。絞り駆動モータ３２１は、レンズコントローラ３１０の制御により、絞り３２０の開口部を変えるよう駆動する。
【００３０】
レンズコントローラ３１０は、カメラ本体２００からの制御信号に応じて、交換レンズ３００全体を制御する。レンズコントローラ３１０は、マイクロコンピュータで構成してもよいし、ハードワイヤードな回路装置により構成してもよい。
【００３１】
レンズ側接続部３６０は、本体側接続部２６０と電気的な信号の授受を行うための手段である。また、レンズ側接続部３６０は、本体側接続部２６０から出力される電力を受け入れ、交換レンズ３００に電力を供給する。
【００３２】
１−４．  本発明との対応
ＣＭＯＳイメージセンサ２２０は、本発明の撮像素子の一例である。カメラコントローラ２１０、電源コントローラ２４１及び／またはレンズコントローラ３１０は、本発明の制御手段の一例である。絞り駆動モータ３２１は、本発明の絞り駆動手段の一例である。
【００３３】
２．  動作
２−１．  電源ＯＦＦ時の動作
以上のように構成されたデジタルカメラシステム１００の電源ＯＦＦ時の動作を図２を用いて説明する。図２は、本カメラシステム１００の電源ＯＦＦ時の動作を説明するためのフローチャートである。
【００３４】
カメラシステム１００が動作中において、電源コントローラ２４１は、電源スイッチ２４２がＯＦＦ操作されるか否かを監視する（Ｓ１１）。電源スイッチ２４２がＯＦＦ操作されると、電源コントローラ２４１は、電源スイッチ２４２がＯＦＦ操作された旨をカメラコントローラ２１０に伝える。
【００３５】
カメラコントローラ２１０は、本体側接続部２６０及びレンズ側接続部３６０を介して、レンズコントローラ３１０に、電源ＯＦＦ時の動作を行う旨の命令（以下「電源ＯＦＦ準備命令」という。）を送信する。レンズコントローラ３１０は、この電源ＯＦＦ準備命令を受信すると、電源ＯＦＦのための準備動作を開始する（Ｓ１２）。電源ＯＦＦのための準備動作は具体的には、光学系３３０を所定の状態にする等の動作である。特に、本実施形態では、電源ＯＦＦのための準備動作は、絞り３２０の開口の調整を含む。より具体的には、レンズコントローラ３１０は、カメラコントローラ２１０から電源ＯＦＦ準備命令を受信すると、絞り駆動モータ３２１を制御して、絞り３２０の開口を所定値になるよう絞り込む（Ｓ１２）。例えば、レンズコントローラ３１０はＦ値２２になるように絞り３２０を制御する。または、レンズコントローラ３１０は、絞り３２０を通過する光量が最小になるように絞り３２０の開口を制御してもよい。このとき、絞り３２０は、最大に絞り込みを行ったときに通過光量がゼロになるように構成されてもよい。
【００３６】
レンズコントローラ３１０は、交換レンズ３００において、電源ＯＦＦのための準備動作が完了すると、その旨を示す応答信号をカメラコントローラ２１０に返信する。カメラコントローラ２１０は、この応答信号を受けて、カメラ本体２００内においても電源ＯＦＦのための準備動作が完了している場合には（Ｓ１３）、電源コントローラ２４１に対して、電源ＯＦＦが可能である旨を通知する。
【００３７】
最後に、電源コントローラ２４１は、カメラコントローラ２１０からの電源ＯＦＦが可能である旨の通知を受けて、電源２４０の電力供給を停止させる（Ｓ１４）。
【００３８】
以上のように、本実施形態では、カメラ本体の電源をＯＦＦしようとする際に、絞り３２０を絞り込んでから電源をＯＦＦする。これにより、電源ＯＦＦ後に、交換レンズ３００にレンズ蓋が装着されていない場合であっても、カメラシステム１００の外部から交換レンズ３００を介してＣＣＤイメージセンサ２２０（撮像素子）に達する光量を低減でき、ＣＣＤイメージセンサ２２０すなわちそのカラーフィルタの劣化を防止できる。
【００３９】
２−２．  電源ＯＮ時の動作
次に、電源ＯＮ時の動作について図３を用いて説明する。図３は、カメラシステム１００の電源ＯＮ時の動作を説明するためのフローチャートである。
【００４０】
カメラシステム１００の電源がＯＦＦの間、電源コントローラ２４１は、電源スイッチ２４２がＯＮ操作されたか否かを監視する（Ｓ２１）。電源コントローラ２４１は、カメラ本体２００の電源とは別の電源で動作しており、カメラ本体２００が電源ＯＦＦの状態でも、動作可能である。電源スイッチ２４２がＯＮ操作されると、電源コントローラ２４１は電源２４０を制御し、電力供給を開始させる。電源コントローラ２４１は、電源スイッチ２４２がＯＮ操作された旨をカメラコントローラ２１０に通知する。
【００４１】
カメラコントローラ２１０は、本体側接続部２６０及びレンズ側接続部３６０を介して、レンズコントローラ３１０に対して、電源ＯＮ時の所定動作を行う旨の命令（以下「ＯＮ動作開始命令」という。）を送信する。レンズコントローラ３１０は、このＯＮ動作開始命令を受けると、電源ＯＮ時（起動時）の所定動作を開始する（Ｓ２２）。電源ＯＮ時の所定動作は、具体的には、光学系３３０を所定の状態にする等の動作を含む。特に、電源ＯＮ時の所定動作の中には、絞り３２０の調整が含まれる。具体的には、レンズコントローラ３１０は、カメラコントローラ２１０からＯＮ動作開始命令を受けると、絞り駆動モータ３２１を制御して、絞り３２０を、電源ＯＦＦ時よりも通過光量が多くなるように開放する（Ｓ２２）。
【００４２】
レンズコントローラ３１０は、交換レンズ３００において、電源ＯＮのための動作が完了すると（Ｓ２３）、その旨をカメラコントローラ２１０に返信する。これにより、起動時の所定動作が完了し（Ｓ２４）、カメラコントローラ２１０は、交換レンズ３００を制御しつつ撮像することが可能となる。
【００４３】
３.  まとめ
以上のように、本発明の実施の形態１のデジタルカメラシステム１００は、電源をＯＦＦしようとする際に、絞り３２０を絞り込むことにより、電源ＯＦＦの間に交換レンズ３００を介してＣＭＯＳイメージセンサ２２０に入射する光の量を低減できる。そのため、電源ＯＦＦの間に、強い光がＣＭＯＳイメージセンサ２２０に入射して、ＣＭＯＳイメージセンサ２２０のカラーフィルタを劣化させてしまうという不具合を低減できる。
【００４４】
ここで、このようなＣＭＯＳイメージセンサ２２０の劣化対策は、光学系３３０とＣＭＯＳイメージセンサ２２０との間に可動式ミラーを備えないレンズ交換式のカメラシステムにおいて特に有用である。通常、可動式ミラーを備えるカメラシステムにおいては、電源ＯＦＦ時に可動式ミラーを光路内に進入させた上で電源をＯＦＦするので、交換レンズ３００を介して入射された光はかなり弱められた状態で、ＣＭＯＳイメージセンサ２２０に達する。そのため、可動式ミラーを備えるカメラシステムでは、上記を原因とする撮像素子の劣化は生じ難い。本実施形態のカメラシステムは、光学系と撮像素子との間の光路中に可動式ミラーを備えることなく、通常状態で、シャッタを開状態にし、動画像をビューファインダ２７０または液晶モニタ２３０に表示させることにより静止画撮像の際の構図決めを可能にしている。このため、電源ＯＦＦ中に、交換レンズ３００に蓋を装着し忘れた場合、交換レンズ３００を介して光が入射し、この光があまり弱められることなく、撮像素子に達する可能性がある。このような構成のカメラでは、長時間の露光によるカラーフィルタの退色などの劣化が撮像素子に生じてしまう可能性がある。以上の点より、電源ＯＦＦ時に絞りを絞り込むという対策は、可動式ミラーを備えないレンズ交換式カメラに特に有用となる。
【００４５】
なお、以上説明した構成では、交換レンズ３００において、絞り３２０及び絞り駆動モータ３２１を設けていたが、カメラ本体２００において、絞り３２０及び絞り駆動モータ３２１を設けてもよい。この場合、電源ＯＦＦの際に、カメラコントローラ２１０が、絞り駆動モータを制御して絞りを絞り込む。また、交換レンズ３００は、絞りに関する制御以外の制御について電源ＯＦＦ準備動作が完了したことを示す情報をカメラコントローラ２１０に返信する。
【００４６】
（実施の形態２）
図４は、本発明の実施の形態２におけるカメラシステムの構成を示すブロック図である。図４に示すように、カメラ本体２００がバリア機構２８０及びバリア機構２８０を駆動するバリア駆動モータ２８１をさらに備える。実施の形態１では、電源ＯＦＦの際に絞り３２０を絞り込んでいたが、本実施形態では、カメラコントローラ２１０は、電源をＯＦＦする際に、バリア機構２８０を閉じるようにバリア駆動モータ２８１を制御する。そして、カメラコントローラ２１０は、バリア機構２８０が閉じた後、電源コントローラ２４１に、電源ＯＦＦが可能である旨を通知する。電源コントローラ２４１は、カメラコントローラ２１０からの電源ＯＦＦが可能である旨の通知を受けて、電源２４０の電力供給を停止させる。
【００４７】
バリア機構２８０は、交換レンズ３００内の光学系とＣＭＯＳイメージセンサ２２０を結ぶ光路の途中に設けられ、機械的に開閉可能な機構である。カメラ本体２００における交換レンズ３００との接続部分の開口部を閉じるように設けられる。すなわち、バリア機構２８０は閉じた状態で、カメラ本体２００における交換レンズ３００との接続部分の開口部に対する保護カバーのように機能する。バリア機構２８０を閉じた状態にすることにより、外部から交換レンズ３００を介してカメラ本体２００に入射する光を遮断するとともに、カメラ本体２００内に入り込むごみ等の異物の流入をも防止できる。特に、交換レンズ３００をカメラ本体２００から取りはずした際に、異物がカメラ本体２００に流入するのを防止するのに有効に機能する。
【００４８】
バリア機構２８０は、交換レンズ３００を介して入射される光を完全に遮断するものが好ましいが、交換レンズ３００を介して入射される光を完全に遮断しなくてもよく、所定の光量以下に軽減できるものであてもよい。
【００４９】
（他の変形例）
以上、本発明の実施形態として実施の形態１〜２を示した。しかし、本発明は、上記の実施の形態１〜２に開示した内容に限定されない。以下に示す変形例も本発明の思想の適用範囲に含まれる。
【００５０】
実施の形態１〜２では、操作者による電源スイッチ２４２の操作に応じて電源をＯＦＦした。そして、電源ＯＦＦの際に、外部から交換レンズを介して撮像素子に入射する光量が低減されるように絞り等を制御した。このような電源ＯＦＦ時の制御は、カメラコントローラ２１０により、自動的に電源がＯＦＦされる場合（オートパワーオフ）にも適用できる。また、このような電源ＯＦＦ時の制御は、カメラシステム１００の全体の電源をＯＦＦする場合に限らず、部分的に電源供給を停止する場合にも適用できる。例えば、所定時間、操作者がカメラ本体２００の操作を実施しない場合に、スリープモードに突入して、液晶モニタ等への電源供給を停止するような場合にも、上記実施形態１〜２の電源ＯＦＦ時の制御が適用される。
【００５１】
実施の形態１〜２では、液晶モニタ２３０と電子ビューファインダ２７０の両方を備えるカメラ本体２００を例示した。しかし、本発明はこれに限定されない。例えば、液晶モニタ２３０のみを備えるカメラであってもよいし、電子ビューファインダ２７０のみを備えるカメラであってもよい。
【産業上の利用可能性】
【００５２】
本発明は、電源ＯＦＦ時に、絞りを絞り込んだり、バリア機構等を閉じたりすることにより、外部から交換レンズを介して撮像素子に入射する光量を低減し、これにより、撮像素子のフィルタの劣化を低減できる。よって、本発明は、撮像素子を用いて画像を撮像するデジタルスチルカメラやムービなどに有用である。
【図面の簡単な説明】
【００５３】
【図１】本発明の実施の形態１におけるカメラシステムの構成を示すブロック図
【図２】本発明の実施の形態１におけるカメラシステムの電源ＯＦＦ時の動作を説明するためのフローチャート
【図３】本発明の実施の形態１におけるカメラシステムの電源ＯＮ時の動作を説明するためのフローチャート
【図４】本発明の実施の形態２におけるカメラシステムの構成を示すブロック図
【符号の説明】
【００５４】
１００    デジタルカメラシステム
２００    カメラ本体
２１０    カメラコントローラ
２２０    ＣＭＯＳイメージセンサ
２３０    液晶モニタ
２４０    電源
２４１    電源コントローラ
２４２    電源スイッチ
２５０    シャッタ
２５１    シャッタ駆動部
２６０    本体側接続部
２７０    電子ビューファインダ
２８０    バリア機構
２８１    バリア駆動モータ
３００    交換レンズ
３１０    レンズコントローラ
３２０    絞り
３２１    絞り駆動モータ
３３０    光学系
３６０    レンズ側接続部
【図１】
2009260959.tif 000003
【図２】
2009260959.tif 000004
【図３】
2009260959.tif 000005
【図４】
2009260959.tif 000006